【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
対象物に対する超音波応答データを収集する方法であって、
構造体内にカテーテルの少なくとも一部を挿入するステップと、
カテーテルのトランスデューサ部分を作動させて、対象物に向かって超音波信号を送信するステップと、
対象物から後方散乱した超音波データのスキャンラインを収集するステップと、
カテーテルが構造体内にある間に、後方散乱した超音波データのスキャンラインに相当するデジタルデータに対して、１次元の準同型デコンボリューション処理を適用し、スキャンラインの推定システム伝達関数を求めるステップと、
推定されたスキャンラインのシステム伝達関数に基づくシステム伝達関数を用いて、対象物に対する超音波応答データを計算するステップとを有することを特徴とする方法。
【請求項２】
請求項１に記載の方法であって、
収集ステップおよび適用ステップについては複数回行い、単一の画像フレームにおけるスキャンラインの一連の推定システム伝達関数を求め、
システム伝達関数は、単一の画像フレームにおけるスキャンラインの一連の推定システム伝達関数の平均であることを特徴とする方法。
【請求項３】
請求項２に記載の方法であって、
対象物に対する超音波応答データ、推定システム伝達関数（ＡＢＳＴＦ）は、構造体内の対象領域内のポイントに相当する超音波データのパワースペクトルからのシステム伝達関数を逆畳み込みにより求めることを特徴とする方法。
【請求項４】
請求項１に記載の方法であって、
システム伝達関数は、パワースペクトルの態様で求めることを特徴とする方法。
【請求項５】
請求項１に記載の方法であって、
後方散乱した超音波データのスキャンラインに相当するデジタルデータは、後方散乱した超音波データのスキャンラインに相当するアナログの時間領域ＲＦのゼロ挿入したデジタルレンダリングを有することを特徴とする方法。
【請求項６】
請求項１に記載の方法であって、
適用ステップは、後方散乱した超音波データのスキャンラインに相当するデジタルデータのパワーケプストラムを計算するサブステップを含むことを特徴とする方法。
【請求項７】
請求項６に記載の方法であって、
適用ステップは、後方散乱した超音波データのスキャンラインに相当するデジタルデータのパワーケプストラムにフィルタを適用して、スキャンラインに対するケプストラム点広がり関数を求めるサブステップを含むことを特徴とする方法。
【請求項８】
請求項７に記載の方法であって、
フィルタはローパスフィルタであることを特徴とする方法。
【請求項９】
請求項８に記載の方法であって、
ローパスフィルタは、規格化されたケフレンシの０．０〜０．００３単位の通過帯域、または０．０〜１２０ナノ秒と表される通過帯域を有することを特徴とする方法。
【請求項１０】
請求項８に記載の方法であって、
ローパスフィルタは、バターワースフィルタであることを特徴とする方法。
【請求項１１】
請求項７に記載の方法であって、
適用ステップは、スキャンラインに対するケプストラム点広がり関数のフーリエ変換を指数にとることにより、システム伝達関数の振幅スペクトルを形成するサブステップを含むことを特徴とする方法。
【請求項１２】
請求項１１に記載の方法であって、
適用ステップは、スキャンラインに対するシステム伝達関数の振幅スペクトルの絶対値の二乗をとることにより、システム伝達関数を形成するサブステップを含むことを特徴とする方法。
【請求項１３】
請求項１に記載の方法であって、
後方散乱した超音波データのスキャンラインに相当するアナログ信号から個々のデジタルデータポイントを形成するサンプリング周期は、２．５ナノ秒〜１０ナノ秒の範囲にあることを特徴とする方法。
【請求項１４】
血管組織に対する超音波応答データを収集する集積システムであって、
血管構造体内に少なくとも一部が挿入されるカテーテルと、
カテーテルの遠位端に取り付けられ、少なくとも１つの超音波トランスデューサ部品を有するトランスデューサプローブであって、これを作動させると、超音波励起信号を血管組織に向かって発信し、励起信号で励起された超音波エコー信号を受信するトランスデューサプローブと、
超音波エコー信号に相当するアナログ信号を受信して、後方散乱した超音波データのスキャンラインを生成するアナログデジタル変換器と、
コンピュータにより判読可能な物理的媒体に記憶された一連のコンピュータにより実行可能な指令を含む計算デバイスとを備え、
コンピュータにより実行可能な指令は、
カテーテルが血管構造体内にある間に、後方散乱した超音波データのスキャンラインに相当するデジタルデータに対して、１次元の準同型デコンボリューション処理を行い、スキャンラインの推定システム伝達関数を求めるステップと、
推定されたスキャンラインのシステム伝達関数に基づくシステム伝達関数を用いて、血管組織に対する超音波応答データを計算するステップと、を計算デバイスにより実施することを支援することを特徴とする集積システム。
【請求項１５】
請求項１４に記載の集積システムであって、
計算デバイスのコンピュータにより実行可能な指令は、
適用ステップを複数回行い、単一の画像フレームにおけるスキャンラインの一連の推定システム伝達関数を求めるように構成され、
システム伝達関数は、単一の画像フレームにおけるスキャンラインの一連の推定システム伝達関数の平均であることを特徴とする集積システム。
【請求項１６】
請求項１５に記載の集積システムであって、
血管組織に対する超音波応答データ、推定システム伝達関数（ＡＢＳＴＦ）は、血管構造体内の対象領域内のポイントに相当する超音波データのパワースペクトルからのシステム伝達関数を逆畳み込みにより求めることを特徴とする集積システム。
【請求項１７】
請求項１４に記載の集積システムであって、
システム伝達関数は、パワースペクトルの態様で求めることを特徴とする集積システム。
【請求項１８】
請求項１４に記載の集積システムであって、
後方散乱した超音波データのスキャンラインに相当するデジタルデータは、後方散乱した超音波データのスキャンラインに相当するアナログの時間領域ＲＦのゼロ挿入したデジタルレンダリングを有することを特徴とする集積システム。
【請求項１９】
請求項１４に記載の集積システムであって、
適用ステップは、後方散乱した超音波データのスキャンラインに相当するデジタルデータのパワーケプストラムを計算するサブステップを含むことを特徴とする集積システム。
【請求項２０】
請求項１９に記載の集積システムであって、
適用ステップは、後方散乱した超音波データのスキャンラインに相当するデジタルデータのパワーケプストラムにフィルタを適用して、スキャンラインに対するケプストラム点広がり関数を求めるサブステップを含むことを特徴とする集積システム。
【請求項２１】
請求項２０に記載の集積システムであって、
フィルタはローパスフィルタであることを特徴とする集積システム。
【請求項２２】
請求項２１に記載の集積システムであって、
ローパスフィルタは、規格化されたケフレンシの０．０〜０．００３単位の通過帯域、または０．０〜１２０ナノ秒と表される通過帯域を有することを特徴とする集積システム。
【請求項２３】
請求項２１に記載の集積システムであって、
ローパスフィルタは、バターワースフィルタであることを特徴とする集積システム。
【請求項２４】
請求項２０に記載の集積システムであって、
適用ステップは、スキャンラインに対するケプストラム点広がり関数のフーリエ変換を指数にとることにより、システム伝達関数の振幅スペクトルを形成するサブステップを含むことを特徴とする集積システム。
【請求項２５】
請求項２４に記載の集積システムであって、
適用ステップは、スキャンラインに対するシステム伝達関数の振幅スペクトルの絶対値の二乗をとることにより、システム伝達関数を形成するサブステップを含むことを特徴とする集積システム。
【請求項２６】
請求項１４に記載の集積システムであって、
後方散乱した超音波データのスキャンラインに相当するアナログ信号から個々のデジタルデータポイントを形成するサンプリング周期は、２．５ナノ秒〜１０ナノ秒の範囲にあることを特徴とする集積システム。
【請求項２７】
後方散乱した超音波データの複数のスキャンラインに基づいて血管組織を性状判別するための超音波応答データを求めるコンピュータで実行可能な指令を含むコンピュータで判読可能な物理的媒体であって、
後方散乱した超音波データの複数のスキャンラインは、トランスデューサプローブを血管構造体内に挿入し、トランスデューサプローブ上のトランスデューサを作動させ、後方散乱した超音波データのスキャンラインに相当する超音波信号を受信することにより収集し、
コンピュータで実行可能な指令は、
カテーテルが血管構造体内にある間に、後方散乱した超音波データのスキャンラインに相当するデジタルデータに対して、１次元の準同型デコンボリューション処理を行い、スキャンラインの推定システム伝達関数を求めるステップと、
推定されたスキャンラインのシステム伝達関数に基づくシステム伝達関数を用いて、血管組織に対する超音波応答データを計算するステップと、を計算デバイスにより実施することを支援することを特徴とする物理的媒体。